(57)【要約】【課題】絶縁電線に雨滴防止リングやスパイラルロッドを取り付ける手法では、これらの部材を製造あるいは購入して施工する必要があるため、コストが増大する。したがって、本発明は、低コストで、雨水の落下位置を分散でき、風切音の発生を抑制でき、かつ、着雪量を低減できる絶縁電線を提供することを目的とする。【解決手段】本発明の絶縁電線１０は、導電性を有する電線本体１と、この電線本体１を被覆する絶縁性を有するカバー部２と、を備え、当該カバー部２には、電線本体１を囲むように螺旋状に延びるひれ３が設けられる。【選択図】図１
2010267485.tif 000002
【特許請求の範囲】
【請求項１】
導電性を有する電線本体と、この電線本体を被覆する絶縁性を有するカバー部と、を備え、
当該カバー部には、前記電線本体を囲むように螺旋状に延びるひれが設けられることを特徴とする絶縁電線。
【発明の詳細な説明】
【技術分野】
【０００１】
本発明は、絶縁電線に関する。詳しくは、アルミ製の電線本体と、この電線本体を樹脂で被覆するカバー部と、からなる絶縁電線に関する。
【背景技術】
【０００２】
架空設置された電線としては、アルミ製の電線本体と、この電線本体を樹脂で被覆するカバー部と、からなる絶縁電線がある。この絶縁電線には、以下のような問題が発生する場合がある。
【０００３】
すなわち、第１に、降雨時には、電線の弛んだ中央部分つまり最も下方に位置する部分から、雨水が集中して落下する。雨水の落下位置の直下に、地上の作物に影響を与えるおそれがある。
第２に、海岸沿いのような風が強い地域では、風切音が発生する場合がある。
第３に、雪の多い地域では、電線に着雪し、この雪の重量により、電線が切断される場合がある。
【０００４】
以上の問題を解決するため、以下のような対策が提案されている。
第１の問題については、絶縁電線に雨滴防止リングを所定間隔おきに取り付ける手法が提案されている。電線に付着した雨水をリング間ごとに落下させることで、雨水の落下位置を分散させる。
【０００５】
第２の問題については、例えば、特許文献１に示されるように絶縁電線に螺旋形状のスパイラルロッドを取り付ける手法が提案されている。
【０００６】
第３の問題については、上述のスパイラルロッドを取り付ける手法の他、カバー部に絶縁電線の延びる方向に沿って直線状に延びるひれを設ける手法が提案されている。このひれの上に雪が積もると、絶縁電線が回転し、雪が落下する。よって、着雪量を低減できる。
【０００７】
しかしながら、雨滴防止リングやスパイラルロッドを取り付ける手法では、これらの部材を製造あるいは購入して施工する必要があるため、コストが増大する。また、カバー部に直線状に延びるひれを設ける手法では、雨水の落下位置が集中するのを防止できないから、第１の問題を解決できない。
【先行技術文献】
【特許文献】
【０００８】
【特許文献１】特開平５−１２０９１９号公報
【発明の概要】
【発明が解決しようとする課題】
【０００９】
したがって、本発明は、低コストで、雨水の落下位置を分散でき、風切音の発生を抑制でき、かつ、着雪量を低減できる絶縁電線を提供することを目的とする。
【課題を解決するための手段】
【００１０】
本発明は、導電性を有する電線本体と、この電線本体を被覆する絶縁性を有するカバー部と、を備え、当該カバー部には、前記電線本体を囲むように螺旋状に延びるひれが設けられることを特徴とする絶縁電線に関する。
【００１１】
この発明によれば、絶縁電線を、導電性を有する電線本体と、この電線本体を被覆する絶縁性を有するカバー部と、を含んで構成し、このカバー部に、電線本体を囲むように螺旋状に延びるひれを設けた。
これにより、雨水が絶縁電線に落下した場合、この雨水は、絶縁電線上側から下側まで螺旋状に延びるひれに沿って流れ、絶縁電線の最も下側に到達すると、地上に落下する。したがって、ひれが最も下側にある部分ごとに雨水を落下させることができ、雨水の落下位置を分散できる。
【００１２】
また、絶縁電線に風が当たると発生する風切音の発生を抑制できる。
さらに、絶縁電線に着雪した場合、雪は、絶縁電線の上側から下側まで螺旋状に延びるひれに沿って滑っていき、絶縁電線の最も下側の部分で地上に落下する。したがって、螺旋状のひれが最も下側にある部分ごとに雪を落下させることができ、絶縁電線に対する着雪量を低減できる。
【００１３】
また、例えば、ひれをカバー部と一体に形成することにより、雨滴防止リングやスパイラルロッドを取り付ける手法では、これらの部材を製造あるいは購入してカバー部に取り付ける必要がないから、低コストである。
【発明の効果】
【００１４】
本発明によれば、低コストで、雨水の落下位置を分散でき、風切音の発生を抑制でき、かつ、着雪量を低減できる絶縁電線を提供することができる。
【図面の簡単な説明】
【００１５】
【図１】本発明の一実施形態に係る絶縁電線の側面図である。
【図２】図１のＡ−Ａ線断面を示す断面図である。
【図３】本発明の変形例に係る絶縁電線の側面図である。
【発明を実施するための形態】
【００１６】
以下、本発明の実施形態について、図面に基づいて説明する。図１は、本発明の一実施形態の絶縁電線１０の側面図を示す。図２は、図１のＡ−Ａ線断面の断面図を示す。
【００１７】
絶縁電線１０は、例えば、鉄塔などの支持物に取り付けられて架空設置される。図１に示すように、絶縁電線１０は、電線本体１と、カバー部２とを備え、当該カバー部２には、ひれ３が設けられる。
【００１８】
電線本体１は、例えば、アルミニウムからなる導電線を複数本撚り合わせた導電性を有する導体からなる。電線本体１には、当該電線本体１の長手方向の周囲を被覆するカバー部２が設けられる。
【００１９】
カバー部２は、電線本体１の長手方向の一端部から他端部までの全体を被覆する。カバー部２は、例えば、樹脂などの絶縁材料からなり、このカバー部２の外周面には、螺旋状に延びるひれ３が設けられる。
【００２０】
図２に示すように、ひれ３は、カバー部２の外周面に設けられる突起部であり、断面四角形状である。ひれ３は、カバー部２の長手方向の一端側から他端側に至るまで連続して延びている。
このひれ３は、カバー部２を成形する際に、このカバー部２と一体に成形される。
【００２１】
本実施形態の絶縁電線１０によれば、以下のような効果を奏する。
（１）導電性を有する電線本体１と、この電線本体１を被覆する絶縁性を有するカバー部２と、を備え、当該カバー部２には、電線本体１を囲むように螺旋状に延びるひれ３を設けた。これにより、雨水が絶縁電線１０に落下した場合、この雨水は、絶縁電線１０の上側から下側まで螺旋状に延びるひれ３に沿って流れ、絶縁電線１０の最も下側まで流れたときに地上に落下する。したがって、螺旋状のひれ３が最も下側にある部分ごとに雨水を落下させることができ、雨水の落下位置を分散できる。また、本発明により、絶縁電線１０に風が当たると発生する風切音の発生を抑制できる。さらに、本発明により、絶縁電線１０に着雪した場合、雪は、絶縁電線１０の上側から下側まで螺旋状に延びるひれ３に沿って滑っていき、絶縁電線１０の最も下側の部分で地上に落下する。したがって、螺旋状のひれ３が最も下側にある部分ごとに雪を落下させることができ、絶縁電線１０に対する着雪量を低減できる。
【００２２】
カバー部２にひれ３を一体に設けたことにより、絶縁電線１０を架空設置した後に必要な部材を取り付ける必要がなくなり、コストを低く抑えることができる。
【００２３】
以上、本発明の実施形態を用いて説明したが、本発明の技術的範囲は上記実施形態に記載の範囲には限定されない。上記実施形態に、多様な変更または改良を加えることができる。
例えば、図３は、本発明の変形例に係る絶縁電線１０Ａの側面図である。図３に示すように、絶縁電線１０Ａでは、ひれ３Ａが２本設けられており、これら２本のひれ３Ａは、交差しながら螺旋状に延びている。
【符号の説明】
【００２４】
１  電線本体
２  カバー部
３、３Ａ  ひれ
１０、１０Ａ  絶縁電線
【図１】
2010267485.tif 000003
【図２】
2010267485.tif 000004
【図３】
2010267485.tif 000005